(57)【要約】【課題】電子レンジ加熱にあたり所定部位を開封するが、傾斜状態で配置する必要はなく、それでいて袋の圧抜き部からの蒸気以外の袋内容物の流出を実用上差し支えない程度に抑制でき、或いは防止できる食品密封収容袋包装箱及びこれを採用した便利な食品密封収容袋包装体並びに該箱を形成するための箱原板を提供する。【解決手段】前壁１５部分で開封可能であり、前壁１５部分を開いた状態で電子レンジ内に下向きに配置される上壁１１側の一直線状に配列される折れ曲がり用ラインＳ１、Ｓ２、Ｓ３があることで、箱１内に収容される食品密封収容袋２の膨張により箱１が下向きにより大きく突出変形可能で、それにより、袋２が圧抜き部２５より下に流動物が溜まるように膨張可能とする箱１。箱１に食品密封収容袋２を収容した包装体１００。箱１を形成するための箱原板１０。【選択図】図１
2013018509.tif 000002
【特許請求の範囲】
【請求項１】
電子レンジ加熱可能な食品を密封収容した、前記食品の加熱による内圧上昇により開封される圧抜き部を有する食品密封収容袋を包装するための食品密封収容袋包装箱であり、
上壁と、前記上壁の左側端に上端が続く左側壁と、前記上壁の右側端に上端が続く右側壁と、前記左右側壁の下端に続き、前記上壁に対向する下壁と、前記上壁及び下壁の前端に続く前壁及び後端に続く後壁を含んでいて前記左右側壁間距離及び前記前後壁間距離より前記上下壁間距離が短い扁平形状を呈しており、
前記前壁は前記上壁と同一面に位置するように開封可能な開封用部を含んでおり、
前記上壁の少なくとも前端部の左右方向における中央部に上壁前後端方向に延びる上壁折れ曲がり用ラインが形成されており、
前記前壁の前記開封用部に、該開封用部が開封されて前記上壁と同一面に配置されると前記上壁折れ曲がり用ラインに直線状に続く折れ曲がり用ラインが形成されていることを特徴とする食品密封収容袋包装箱。
【請求項２】
前記前壁は前記上壁の前端に続く第１前壁用片及び前記下壁の前端に続く第２前壁用片を含んでおり、前記第２前壁用片は左右方向における中央部に前記下壁との境界ラインから該境界ラインとは反対側の該第２前壁用片の自由端へ延びる左右一対の破断用ライン及び該左右一対の破断用ライン中間の第２前壁用片折れ曲がり用ラインを有しており、該左右一対の破断用ラインの前記下壁との境界ライン側のライン端に跨る箱開封開始用破断用ラインが、該境界ライン及び該境界ラインに隣り合う前記下壁の前端部分のうち少なくとも一方に形成されており、
前記第１前壁用片は前記第２前壁用片の上に重ね接着されており、
前記第１前壁用片には該第１前壁用片が前記第２前壁用片に重ねられた状態で前記第２前壁用片折れ曲がり用ラインに重なる第１前壁用片折れ曲がり用ラインが形成されており、
前記第１前壁用片折れ曲がり用ラインは前記第１前壁用片が開かれて前記上壁と同一面に配置されると前記上壁折れ曲がり用ラインに直線状に続く折れ曲がり用ラインであり、  前記第１前壁用片及び前記第２前壁用片の前記左右一対の破断用ラインで挟まれた部分は前記前壁の前記開封用部を提供している請求項１記載の食品密封収容袋包装箱。
【請求項３】
前記前壁は前記左右の各側壁の前端に続く前フラップを含んでおり、該前フラップは内側へ折り曲げられていて該折り曲げられた前フラップの上に前記第２前壁用片が曲げ重ねられるとともに該第２前壁用片の前記左右一対の破断用ラインの外側の部分が該前フラップに接着されている請求項２記載の食品密封収容袋包装箱。
【請求項４】
前記第２前壁用片の前記左右一対の破断用ラインは、該第２前壁用片と前記下壁との境界ラインから該境界ラインとは反対側の前記第２前壁用片の自由端へ左右対称に次第に互いに遠ざかるようにハの字状に形成されている請求項２又は３記載の食品密封収容袋包装箱。
【請求項５】
前記第２前壁用片の左右一対の破断用ラインの前記下壁との境界ライン側のライン端に跨る前記箱開封開始用破断用ラインは、該境界ラインに沿って形成されている請求項２、３又は４記載の食品密封収容袋包装箱。
【請求項６】
前記第２前壁用片の左右一対の破断用ラインの前記下壁との境界ライン側のライン端に跨って該境界ラインに沿って形成された前記箱開封開始用破断用ラインは切断線である請求項５記載の食品密封収容袋包装箱。
【請求項７】
前記第２前壁用片の左右一対の破断用ラインの前記下壁との境界ライン側のライン端に跨る前記箱開封開始用破断用ラインは、該境界ラインに隣り合う前記下壁の前端部に形成されている請求項２、３又は４記載の食品密封収容袋包装箱。
【請求項８】
電子レンジ加熱可能な食品を密封収容した食品密封収容袋を食品密封収容袋包装箱に収容した食品密封収容袋包装体であり、
前記食品密封収容袋はマイクロ波透過可能なフィルムで形成され、内部に電子レンジ加熱可能な食品が収容されているとともに前辺部、該前辺部に対向する後辺部及び該前後辺部間に延びる左右側辺部を含む周辺部が密封されて扁平形状を呈しており、前記前辺部寄りの部位に前記食品の加熱による内圧上昇により開封される圧抜き部が形成されており、
前記食品密封収容袋包装箱は請求項１から７のいずれかに記載の包装箱であり、
前記食品密封収容袋は前記前辺部が前記包装箱の前壁側に向けられて該包装箱内に収容されていることを特徴とする食品密封収容袋包装体。
【請求項９】
請求項１、２又は３記載の食品密封収容袋包装箱を形成するための、予め裁断された紙製の平坦な箱原板であり、平坦な状態において
前記上壁折れ曲がり用ラインを含む前記上壁、
前記上壁の左側端に続く前記左側壁、
前記上壁の右側端に続く前記右側壁、
前記左側壁の左側端又は前記右側壁の右側端に続く前記下壁、
前記左右の各側壁の前端に続く前フラップ、
前記上壁の前端に続き、前記第１前壁用片折れ曲がり用ラインを有する前記第１前壁用片、
前記下壁の前端に続き、前記左右一対の破断用ライン及びそれらの中間の第２前壁用片折れ曲がり用ラインを有する前記第２前壁用片、
前記左右の各側壁の後端に続く後ろフラップ、
前記上壁の後端に続く第１後壁用片、
前記下壁の後端に続く第２後壁用片及び
前記左右側壁のいずれか又は前記下壁に続く糊代片を含んでおり、
前記第２前壁用片の前記左右一対の破断用ラインの前記下壁との境界ライン側のライン端に跨る箱開封開始用破断用ラインが、該境界ライン及び該境界ラインに隣り合う前記下壁の前端部分のうち少なくとも一方に形成されており、
前記右側壁、前記上壁、前記左側壁、前記下壁及び前記糊代片を隣り合うものの境目で順次折り曲げるとともに前記糊代片を介して前記下壁と前記左右側壁のいずれかを接続するとともに、前記前フラップをそれぞれ内側へ折り曲げ、該前フラップ上に前記第２及び第１の前壁用片をこの順序で曲げ重ねるとともに少なくとも該第１及び第２の前壁用片を接着し、前記後ろフラップをそれぞれ内側へ折り曲げ、該後ろフラップ上に前記第１及び第２の後壁用片を曲げ重ねるとともに少なくとも該第１及び第２の後壁用片を接着して前記食品密封収容袋包装箱を形成できることを特徴とする箱原板。
【発明の詳細な説明】
【技術分野】
【０００１】
本発明は電子レンジ加熱可能な食品、例えば調理された、或いは半調理された食品を密封収容した食品密封収容袋を包装する包装箱及び前記食品密封収容袋を前記包装箱に収容した食品密封収容袋包装体に関する。本発明はさらに該包装箱を提供するための箱原板にも関係している。
【背景技術】
【０００２】
今日、マイクロ波透過可能な袋（通常、プラスチック袋）に密封収容された種々の電子レンジ加熱可能な食品、例えば既に調理された、或いは半調理された食品が市場に流通している。そのような食品密封収容袋は、電子レンジ内に配置して加熱すると、袋内食品が加熱され、蒸気が発生するので、袋破裂を防止するため、袋内圧が上昇してくると内圧により開封される圧抜き部が形成されている。
【０００３】
このような電子レンジ加熱可能な食品を密封収容した食品密封収容袋は、保管、運搬、展示、記載による種々の情報表示等のために包装箱で収容、包装されるのが一般的である。
【０００４】
また、今日では、包装箱に容れられた食品密封収容袋は包装箱ごと電子レンジ内に配置し、加熱することができるようになっているものもある。
そのような袋及び箱として次のようなものが見受けられる。
【０００５】
前記食品密封収容袋については、前記圧抜き部が袋のいずれかの端部に近い部位に設けられ、電子レンジ加熱にあたっては圧抜き部のある袋端部が反対側端部より高所に位置するように袋を傾けて電子レンジ内に配置すれば、加熱により圧抜き部が開封された場合でも袋内容物が開封された圧抜き部から流出して電子レンジ内を汚すなどの恐れはないとされているものである。
【０００６】
一方、包装箱については、その一部を開けることで前記食品密封収容袋の前記圧抜き部を露出させることができるとともに、開けた箱の一部を折り曲げて支持部とするなどして電子レンジ内に傾斜姿勢で配置でき、それにより袋を圧抜き部のある端部が他端部より高所に位置する傾斜状態で箱ごと電子レンジ内に配置することができるようにしたものである。
【０００７】
このような食品密封収容袋及び包装箱は通常その包装箱に食品密封収容袋を収容した食品密封収容袋包装体の態様で保管、運搬、展示、販売等されている。
【０００８】
このような包装体は例えば特開２００３−１７０９３０号公報、特許第４５２２７８２号公報に記載されている。
【先行技術文献】
【特許文献】
【０００９】
【特許文献１】特開２００３−１７０９３０号公報
【特許文献２】特許第４５２２７８２号公報
【発明の概要】
【発明が解決しようとする課題】
【００１０】
しかしながら、従来の食品密封収容袋包装体は、食品密封収容袋の内容物を電子レンジ加熱するために該袋を包装箱ごと電子レンジ内に配置する際には、単に包装箱を開封して電子レンジ内に配置すればよいのではなく、包装箱を指定された包装箱部位で、指定された手順に従って開封し、開けた箱の一部を折り曲げて支持部として、食品密封収容袋の圧抜き部のある端部が他端部より高所に位置する傾斜状態で電子レンジ内に配置しなければならず、その作業に慣れない消費者は戸惑うことがあり、消費者によっては煩わしく感じることもあったと思われる。
【００１１】
また、使用する包装箱によっては、開けられた包装箱の一部がその開けられた状態から復元方向に動き、その結果、食品密封包装袋の圧抜き部が袋の他の部分に対して、袋内容物の吹き出しを十分抑制できるほどに高所に配置されなくなる恐れがある。
【００１２】
本発明は、電子レンジ加熱可能な食品を密封収容した、前記食品の加熱による内圧上昇により開封される圧抜き部を有する食品密封収容袋を包装するための食品密封収容袋包装箱であって、該食品密封収容袋を収容したまま電子レンジ内に配置して該袋内食品を電子レンジ加熱することができ、その際、予め指定された包装箱部位を開封するが、従来のように開けた箱の一部を折り曲げて支持部として傾斜状態で電子レンジ内に配置する必要はなく、それでいて前記袋の圧抜き部からの蒸気以外の袋内容物の流出を実用上差し支えない程度に抑制でき、或いは防止できる、消費者にとって便利な食品密封収容袋包装箱を提供することを第１の課題とする。
【００１３】
また、本発明は、電子レンジ加熱可能な食品を密封収容した、前記食品の加熱による内圧上昇により開封される圧抜き部を有する食品密封収容袋を食品密封収容袋包装箱に収容した食品密封収容袋包装体であって、前記食品密封収容袋包装箱に前記食品密封収容袋を収容したまま電子レンジ内に配置して該袋内食品を電子レンジ加熱することができ、その際、前記包装箱を予め指定された部位で開封するが、従来のように開けた箱の一部を折り曲げて支持部として傾斜状態で電子レンジ内に配置する必要はなく、それでいて前記袋の圧抜き部からの蒸気以外の袋内容物の流出を実用上差し支えない程度に抑制でき、或いは防止できる、消費者にとって便利な食品密封収容袋包装体を提供することを第２の課題とする。
【００１４】
また、本発明は、本発明に係る食品密封収容袋包装箱を組み立て形成できる箱原板を提供することを第３の課題とする。
【課題を解決するための手段】
【００１５】
本発明は前記第１の課題を解決するため、
電子レンジ加熱可能な食品を密封収容した、前記食品の加熱による内圧上昇により開封される圧抜き部を有する食品密封収容袋を包装するための食品密封収容袋包装箱であり、
上壁と、前記上壁の左側端に上端が続く左側壁と、前記上壁の右側端に上端が続く右側壁と、前記左右側壁の下端に続き、前記上壁に対向する下壁と、前記上壁及び下壁の前端に続く前壁及び後端に続く後壁を含んでいて前記左右側壁間距離及び前記前後壁間距離より前記上下壁間距離が短い扁平形状を呈しており、
前記前壁は前記上壁と同一面に位置するように開封可能な開封用部を含んでおり、
前記上壁の少なくとも前端部の左右方向における中央部に上壁前後端方向に延びる上壁折れ曲がり用ラインが形成されており、
前記前壁の前記開封用部に、該開封用部が開封されて前記上壁と同一面に配置されると前記上壁折れ曲がり用ラインに直線状に続く折れ曲がり用ラインが形成されている食品密封収容袋包装箱を提供する。
【００１６】
本発明は前記第２の課題を解決するため、
電子レンジ加熱可能な食品を密封収容した食品密封収容袋を食品密封収容袋包装箱に収容した食品密封収容袋包装体であり、
前記食品密封収容袋はマイクロ波透過可能なフィルムで形成され、内部に電子レンジ加熱可能な食品が収容されているとともに前辺部、該前辺部に対向する後辺部及び該前後辺部間に延びる左右側辺部を含む周辺部が密封されて扁平形状を呈しており、前記前辺部寄りの部位に前記食品の加熱による内圧上昇により開封される圧抜き部が形成されており、
前記食品密封収容袋包装箱は本発明に係る包装箱であり、
前記食品密封収容袋は前記前辺部が前記包装箱の前壁側に向けられて該包装箱内に収容されている食品密封収容袋包装体を提供する。
【００１７】
本発明に係る食品密封収容袋包装箱によると、その組立て形成とともに内部に食品密封収容袋を収容することができる。このとき前記圧抜き部のある袋部分を前壁側に向けて収容できる。
【００１８】
本発明に係る食品密封収容袋包装箱によると、前記前壁の開封用部を、概ね前記上壁と同一面に位置するように開封し、前記上壁折れ曲がり用ラインと前記前壁の開封用部の折れ曲がり用ラインが概ね直線状に続く状態として、上記のように食品密封収容袋を内部に収容したまま、前記上壁を下向きにして電子レンジ内トレイに載置し、加熱開始することができる。かくして食品密封収容袋内の食品が加熱され、それにより発生する蒸気圧で該袋が膨張してくる。
【００１９】
この袋の膨張により、互いに対向している上壁（電子レンジ内では折れ曲がり用ラインを有する下向きに配置されている上壁）及び下壁（電子レンジ内では上向きに配置されている下壁）が上下方向に突っ張り力を受け、それにより該上壁及び下壁が次第に箱外側へ向け膨らむよう変形し始める。
【００２０】
このとき、一直線状に続いている、前記上壁の折れ曲がり用ライン及び前記開封用部の折れ曲がり用ラインで包装箱の上壁側が、そのような折れ曲がり用ラインが形成されていない下壁側が上向き凸状に変形するより大きく下向き凸状に変形し、前記袋も電子レンジ内における上面側より箱抵抗のより少ない下面側でより大きく下向き凸状に膨張する。
【００２１】
このような食品密封収容袋の膨張により、袋内の流動物は圧抜き部より下方に溜まる格好となり、圧抜き部が袋内圧上昇で開封されても、該圧抜き部から漏出することは、実用上差し支えない程度に抑制され、或いは防止される。
【００２２】
このように本発明に係る包装箱によると、食品密封収容袋を収容したまま電子レンジ内に配置して該袋内食品を電子レンジ加熱することができ、その際、包装箱の前壁部分を予め開封するが、従来のように開けた箱の一部を折り曲げて支持部として傾斜状態で電子レンジ内に配置する必要はなく、それでいて前記袋の圧抜き部からの蒸気以外の袋内容物の流出を実用上差し支えない程度に抑制でき、或いは防止できる。
【００２３】
また本発明に係る食品密封収容袋包装体によると、食品密封収容袋包装箱として本発明に係る包装箱を採用しているので、該箱の前壁部分を前記と同様に開けて、上壁を下向きにして電子レンジ内トレイに載置し、加熱開始すると、食品密封収容袋内の食品が加熱され、それにより発生する蒸気圧で該袋が膨張してくることで包装箱の上壁側が、下壁側より大きく下向き凸状に変形し、前記袋も電子レンジ内における上面側より下面側の方が箱抵抗のより少ない下面側でより大きく下向き凸状に膨張する。
【００２４】
このような食品密封収容袋の膨張により、袋内の流動物は圧抜き部より下方に溜まる格好となり、圧抜き部が袋内圧上昇で開封されても、該圧抜き部から漏出することは、実用上差し支えない程度に抑制され、或いは防止される。
【００２５】
このように本発明に係る包装体によると、食品密封収容袋包装箱に食品密封収容袋を収容したまま電子レンジ内に配置して該袋内食品を電子レンジ加熱することができ、その際、前記包装箱を予め前壁部分で開封するが、従来のように開けた箱の一部を折り曲げて支持部として傾斜状態で電子レンジ内に配置する必要はなく、それでいて前記袋の圧抜き部からの蒸気以外の袋内容物の流出を実用上差し支えない程度に抑制でき、或いは防止できる。
【００２６】
本発明に係る包装箱の例として例えば次のものを挙げることができる。
前記前壁は前記上壁の前端に続く第１前壁用片及び前記下壁の前端に続く第２前壁用片を含んでおり、前記第２前壁用片は左右方向における中央部に前記下壁との境界ラインから該境界ラインとは反対側の該第２前壁用片の自由端へ延びる左右一対の破断用ライン及び該左右一対の破断用ライン中間の第２前壁用片折れ曲がり用ラインを有しており、該左右一対の破断用ラインの前記下壁との境界ライン側のライン端に跨る箱開封開始用破断用ラインが、該境界ライン及び該境界ラインに隣り合う前記下壁の前端部分のうち少なくとも一方に形成されており、
前記第１前壁用片は前記第２前壁用片の上に重ね接着されており、
前記第１前壁用片には該第１前壁用片が前記第２前壁用片に重ねられた状態で前記第２前壁用片折れ曲がり用ラインに重なる第１前壁用片折れ曲がり用ラインが形成されており、
前記第１前壁用片折れ曲がり用ラインは前記第１前壁用片が開かれて前記上壁と同一面に配置されると前記上壁折れ曲がり用ラインに直線状に続く折れ曲がり用ラインであり、  前記第１前壁用片及び前記第２前壁用片の前記左右一対の破断用ラインで挟まれた部分は前記前壁の前記開封用部を提供している包装箱である。
【００２７】
この包装箱によると、前記前壁を構成している第２前壁用片の左右一対の破断用ラインの前記下壁との境界ライン側のライン端に跨る破断用ラインが箱開封開始用の破断用ラインである。
【００２８】
包装箱は、例えば、この箱開封開始用の破断ラインに例えば手指をあてがい、該第２前壁用片の上に重ね接着されている前記第１前壁用片を開く方向に引っ張ることで、該第１前壁用片を開くことができる。
【００２９】
このとき、第２前壁用片の左右一対の破断用ラインを破断しつつ、それら一対の破断用ラインで挟まれた第２前壁用片の中央部分を、それが未だ接着している前記第１前壁用片とともに開くことができる。
【００３０】
このように、第１前壁用片は、一対の破断用ラインで挟まれた第２前壁用片の部分とともに２重構造部分を維持しつつ、変形や形崩れ等が抑制される状態で開くことができる。
【００３１】
このように前壁部分で開いた状態では、第１前壁用片とともに開かれた第２前壁用片の部分の左右一対の破断用ライン中間の前記第２前壁用片折れ曲がり用ラインと、これに重なるように形成されている第１前壁用片の折れ曲がり用ラインと、前記上壁に形成されている上壁折れ曲がり用ラインが一直線状に配列された格好となる。
【００３２】
このように箱が開封された状態で、しかし内部に食品密封収容袋が収容された状態で、前記上壁を下向きにして電子レンジ内トレイに載置し、加熱開始することができる。かくして食品密封収容袋内の食品が加熱され、それにより発生する蒸気圧で該袋が膨張してくる。
【００３３】
この袋の膨張により、互いに対向している上壁（電子レンジ内では折れ曲がり用ラインを有する下向きに配置されている上壁）及び下壁（電子レンジ内では上向きに配置されている下壁）が上下方向に突っ張り力を受け、それにより該上壁及び下壁が次第に箱外側へ向け膨らむよう変形し始める。
【００３４】
このとき、一直線状に続いている、上壁の折れ曲がり用ライン、第１前壁用片の折れ曲がり用ライン、これに重なる前記第２前壁用片折れ曲がり用ラインで包装箱の上壁側が、そのような折れ曲がり用ラインが形成されていない下壁側が上向き凸状に変形するより大きく下向き凸状に変形し、前記袋も電子レンジ内における上面側より箱抵抗のより少ない下面側でより大きく下向き凸状に膨張する。
【００３５】
このような食品密封収容袋の膨張により、袋内の流動物は圧抜き部より下方に溜まる格好となり、圧抜き部が袋内圧上昇で開封されても、該圧抜き部から漏出することは、実用上差し支えない程度に抑制され、或いは防止される。
【００３６】
包装箱に食品密封収容袋を収容してなる食品密封収容袋包装体の保管、運搬、展示等において、包装箱の前壁部分が何かに衝突する、引っ掛かる等して意図せず開けられてしまうこと防止する等のために、該左右一対の破断用ラインの前記下壁との境界ライン側のライン端に跨る箱開封開始用破断用ラインを短めにするうえで、前記第２前壁用片の左右一対の破断用ラインは、該第２前壁用片と前記下壁との境界ラインから該境界ラインとは反対側の前記第２前壁用片の自由端へ左右対称に次第に互いに遠ざかるようにハの字状に形成されていてもよい。
【００３７】
また、電子レンジ加熱に伴って包装箱内に収容された食品密封収容袋が膨張するとき、電子レンジ内で上向きに配置される箱下壁の上方凸状変形が抑制される一方、電子レンジ内で下向きに配置される箱上壁が、より確実に、大きく下方へ凸状に変形できるように、次の構成を採用してもよい。
【００３８】
すなわち、前記前壁は前記左右の各側壁の前端に続く前フラップを含んでおり、該前フラップは内側へ折り曲げられていて該折り曲げられた前フラップの上に前記第２前壁用片が曲げ重ねられるとともに該第２前壁用片の前記左右一対の破断用ラインの外側の部分が該前フラップに接着されている構成である。
【００３９】
この場合、前壁が開封されたあとも、第２前壁用片の前記左右一対の破断用ラインの外側の部分が前フラップに接着されたまま電子レンジ加熱に供することで、電子レンジ内で上向きに配置される箱下壁側の剛性を箱上壁側の剛性より大きく保って、電子レンジ内で下向きに配置される箱上壁を大きく下方へ凸状に変形させることができる。
【００４０】
いずれにしても、前記前壁の第２前壁用片の左右一対の破断用ラインは、例えば、切断線と該切断線より短い点状破断用部を交互にライン状に配列して形成されているものを挙げることができる。ここで［切断線］とは壁構成材を表裏に貫通するように切断してなる線である。また、破断用ラインは、切断線をミシン目様に配列したようなものでもよい。
【００４１】
前記箱開封開始用破断用ラインは、例えば、第２前壁用片と前記下壁との境界ラインに沿って形成されていてもよいし（例えば切断線で形成されていてもよいし）、該境界ラインに隣り合う前記下壁の前端部に形成されていてもよい。
【００４２】
本発明は前記第３の課題を解決するため、予め裁断された紙製（紙主体）の平坦な箱原板を提供する。
該箱原板は平坦な状態において
前記上壁折れ曲がり用ラインを含む前記上壁、
前記上壁の左側端に続く前記左側壁、
前記上壁の右側端に続く前記右側壁、
前記左側壁の左側端又は前記右側壁の右側端に続く前記下壁、
前記左右の各側壁の前端に続く前フラップ、
前記上壁の前端に続き、前記第１前壁用片折れ曲がり用ラインを有する前記第１前壁用片、
前記下壁の前端に続き、前記左右一対の破断用ライン及びそれらの中間の第２前壁用片折れ曲がり用ラインを有する前記第２前壁用片、
前記左右の各側壁の後端に続く後ろフラップ、
前記上壁の後端に続く第１後壁用片、
前記下壁の後端に続く第２後壁用片及び
前記左右側壁のいずれか又は前記下壁に続く糊代片を含んでいる。
【００４３】
前記第２前壁用片の前記左右一対の破断用ラインの前記下壁との境界ライン側のライン端に跨る箱開封開始用破断用ラインが、該境界ライン及び該境界ラインに隣り合う前記下壁の前端部分のうち少なくとも一方に形成されている。
【００４４】
この箱原板によると、前記右側壁、前記上壁、前記左側壁、前記下壁及び前記糊代片を隣り合うものの境目で順次折り曲げるとともに前記糊代片を介して前記下壁と前記左右側壁のいずれかを接続するとともに、前記前フラップをそれぞれ内側へ折り曲げ、該前フラップ上に前記第２及び第１の前壁用片をこの順序で曲げ重ねるとともに少なくとも該第１及び第２の前壁用片を接着し、前記後ろフラップをそれぞれ内側へ折り曲げ、該後ろフラップ上に前記第１及び第２の後壁用片を曲げ重ねるとともに少なくとも該第１及び第２の後壁用片を接着して前記食品密封収容袋包装箱を形成できる。
【発明の効果】
【００４５】
以上説明したように本発明によると、電子レンジ加熱可能な食品を密封収容した、前記食品の加熱による内圧上昇により開封される圧抜き部を有する食品密封収容袋を包装するための食品密封収容袋包装箱であって、該食品密封収容袋を収容したまま電子レンジ内に配置して該袋内食品を電子レンジ加熱することができ、その際、予め指定された包装箱部位を開封するが、従来のように開けた箱の一部を折り曲げて支持部として傾斜状態で電子レンジ内に配置する必要はなく、それでいて前記袋の圧抜き部からの蒸気以外の袋内容物の流出を実用上差し支えない程度に抑制でき、或いは防止できる、消費者にとって便利な食品密封収容袋包装箱を提供することができる。
【００４６】
また、本発明によると、電子レンジ加熱可能な食品を密封収容した、前記食品の加熱による内圧上昇により開封される圧抜き部を有する食品密封収容袋を食品密封収容袋包装箱に収容した食品密封収容袋包装体であって、前記食品密封収容袋包装箱に前記食品密封収容袋を収容したまま電子レンジ内に配置して該袋内食品を電子レンジ加熱することができ、その際、前記包装箱を予め指定された部位で開封するが、従来のように開けた箱の一部を折り曲げて支持部として傾斜状態で電子レンジ内に配置する必要はなく、それでいて前記袋の圧抜き部からの蒸気以外の袋内容物の流出を実用上差し支えない程度に抑制でき、或いは防止できる、消費者にとって便利な食品密封収容袋包装体を提供することができる。
【００４７】
また、本発明によると、本発明に係る食品密封収容袋包装箱を組み立て形成できる箱原板を提供することができる。
【図面の簡単な説明】
【００４８】
【図１】本発明に係る食品密封収容袋包装体の１例の上壁側からの斜視図である。
【図２】図１の食品密封収容袋包装体の下壁側からの斜視図である。
【図３】図１の包装体を構成している食品密封収容袋包装箱の組み立て前の原板例を示す図である。
【図４】食品密封収容袋の１例の上面図である。
【図５】図１の包装体において包装箱を開けた状態の斜視図であり、図（Ａ）は前フラップは閉じたままの状態の斜視図であり、図（Ｂ）は前フラップも開いた状態の斜視図である。
【図６】図５のように箱を開けた包装体を電子レンジ加熱したときの包装箱前壁側から見た袋の膨張及び包装箱の変形状態例を示す図である。
【図７】本発明に係る食品密封収容袋包装体の他の例の上壁側からの斜視図である。
【図８】図７の包装体を構成している食品密封収容袋包装箱の組み立て前の原板例を示す図である。
【図９】図７の包装体において包装箱を開けた状態の斜視図であり、図（Ａ）は前フラップは閉じたままの状態の斜視図であり、図（Ｂ）は前フラップも開いた状態の斜視図である。
【図１０】図７のように箱を開けた包装体を電子レンジ加熱したときの包装箱前壁側から見た袋の膨張及び包装箱の変形状態例を示す図である。
【発明を実施するための形態】
【００４９】
図１は本発明に係る食品密封収容袋包装体の１例１００の上壁側からの斜視図であり、図２は同包装体の下壁側からの斜視図である。
【００５０】
図示の包装体１００は電子レンジ加熱可能な食品を密封収容した食品密封収容袋２を食品密封収容袋包装箱１に収容したものである。
【００５１】
食品密封収容袋２は図４に示すように、マイクロ波透過可能なフィルムｆで形成され、内部に電子レンジ加熱可能な食品Ｆが収容されているとともに前辺部２１、前辺部２１に対向する後辺部２２及び前後辺部２１、２２間に延びる左右側辺部２３を含む周辺部２０が密封されて扁平矩形状を呈している。
【００５２】
前辺部２１と左側辺部２３で提供される前側コーナ部位２４に食品Ｆの加熱による内圧上昇により開封される圧抜き部２５が形成されている。圧抜き部２５は本例では図７に示すように、袋本体を構成している重ねられたフィルムｆの一部をヒートシール２５１し、該ヒートシール部分２５１の中央部に透孔２５２を形成したものである。
【００５３】
ヒートシール部分２５１は電子レンジ加熱時の袋本体内気圧上昇で、袋が破裂しない安全圧力範囲内でフィルムｆ間を剥がして袋内を孔２５２へ連通させることができる部分であり、周辺部２０より弱い弱シール部である。
この袋２は包装箱１を後述するように組み立てるとき、圧抜き部２５を包装箱１の前壁１５側に向けて該包装箱に収容される。
【００５４】
食品密封収容袋包装箱１は、図１、図２に示すように、上壁１１と、上壁１１の左側端１１３に上端が連続する左側壁１２と、上壁１１の右側端１１４に上端が連続する右側壁１３と、左右側壁１２、１３の下端に連続し、上壁１１に対向する下壁１４と、前記各壁の前端に続く前壁１５及び後端に続く後壁１６を含んでいる。包装箱１は左右側壁１２、１３間距離及び前後壁１５、１６間距離より上下壁１１、１４間距離が短い扁平直方体形状を呈している。
【００５５】
前壁１５は、上壁１１の前端１１１に続く第１前壁用片１５１及び下壁１４の前端１４１に続く第２前壁用片１５２を含んでおり、さらに、左側壁１２の前端に続く前フラップ１２１及び右側壁１３の前端に続く前フラップ１３１を含んでいる。
【００５６】
第２前壁用片１５２は左右方向における丁度中央部に下壁１４との境界ライン（換言すれば下壁１４の前端１４１）（図２参照）から該境界ライン１４１とは反対側の該第２前壁用片１５２の自由端へ延びる左右一対の破断用ラインＣ１、Ｃ２を有している。第２前壁用片１５２は、さらに、破断用ラインＣ１、Ｃ２の丁度中間の第２前壁用片折れ曲がり用ラインＳ３を有している。
【００５７】
左右一対の破断用ラインＣ１、Ｃ２の下壁１４との境界ライン１４１側のライン端に跨る箱開封開始用破断用ラインｃが、境界ライン１４１に沿って形成されている。
【００５８】
第１前壁用片１５１は第２前壁用片１５２の上に重ねられ接着されている。
第１前壁用片１５１には、それが第２前壁用片１５２に重ねられた状態で第２前壁用片の折れ曲がり用ラインＳ３に重なる折れ曲がり用ラインＳ２が形成されている。
【００５９】
さらに、上壁１１の少なくとも前端部には第１前壁用片１５１の折れ曲がり用ラインＳ２に続く上壁折れ曲がり用ラインＳ１が形成されている。
【００６０】
この包装箱１は、図３に示す予め裁断された紙製の（主として紙で形成されている）平坦な箱原板１０を折り曲げ、ホットメルトグルーのような接着剤で接着して形成されている。
箱原板１０は図３に示す平坦な状態において次のように構成されている。すなわち、
前端部の丁度中央部に上壁長手方向に一直線に筋付け形成された前記折れ曲がり用ラインＳ１を有する上壁１１、
上壁１１の左側端１１３に続く左側壁１２、
上壁１１の右側端１１４に続く右側壁１３、
左側壁１２の左側端１４４（換言すれば下壁１４の右側端１４４）に続く下壁１４、
左右の側壁１２，１３の前端に続く前フラップ１２１、１３１、
上壁１１の前端１１１に続き、一直線に筋付け形成された前記折れ曲がり用ラインＳ２を有する第１前壁用片１５１、
下壁１４の前端１４１に連続し、左右一対の前記破断用ラインＣ１、Ｃ２１及びそれらの丁度中間の、一直線に筋付け形成された前記折れ曲がり用ラインＳ３を有する第２前壁用片１５２、
左右の側壁１２、１３の後端に続く後ろフラップ１２２、１３２、
上壁１１の後端１１２に続く第１後壁用片１６１、
下壁１４の後端１４２に続く第２後壁用片１６２及び
下壁１４の左側端１４３に続く糊代片１７を含んでいる。
【００６１】
第２前壁用片１５２の左右一対の破断用ラインＣ１、Ｃ２の下壁１４との境界ライン１４１側（換言すれば下壁１４の上端１４１側）のライン端に跨って前記の箱開封開始用破断用ラインｃが、境界ライン１４１に沿って形成されている。箱開封開始用破断用ラインｃはここでは壁材を貫通する切断線である。
【００６２】
破断用ラインＣ１、Ｃ２は切断線と点状の破断用部を交互に配列してなるものであり、ライン全体として、箱開封開始用破断用ラインｃ側から前壁用片１５２の自由端へ向かって、互いに次第に離れるように、自由端側から見てハの字状に形成されている。
【００６３】
これら右側壁１３、上壁１１、左側壁１２、下壁１４及び糊代片１７が隣り合うものの境目で順次折り曲げられるとともに糊代片１７が右側壁１３に接着される。
【００６４】
さらに前フラップ１２１、１３１がそれぞれ内側へ折り曲げられ、それら前フラップ上に第２及び第１の前壁用片１５２、１５１がこの順序で曲げ重ねられるとともに該前壁用片１５２、１５１が接着される。後ろフラップ１２２，１３２がそれぞれ内側へ折り曲げられ、該後ろフラップ上に第１及び第２の後壁用片１６１、１６２が曲げ重ねられるとともにそれらが互いに接着される。
【００６５】
また、本例では、前フラップ１２１、１３１とその上に重ねられる第２前壁用片１５２も接着される。第２前壁用片１５２の前フラップ１２１、１３１に重なる部分に透孔ｈを形成しておいて、その孔ｈを通じて前フラップ１２１、１３１と第１前壁用片１５１を接着してもよい。
【００６６】
また、後ろフラップ１２２、１３２とその上に重ねられる第２後壁用片１６２も接着される。第２後壁用片１６２の後ろフラップ１２２、１３２に重なる部分に透孔を形成しておいて、その孔を通じて後ろフラップ１２２、１３２と第１後壁用片１６１を接着してもよい。
かくして食品密封収容袋包装箱１が形成される。
【００６７】
以上説明した包装体１００を構成している包装箱１は、前壁１５を構成している第２前壁用片１５２の左右一対の破断用ラインＣ１、Ｃ２の下壁１４との境界ライン１４１側のライン端に跨る破断用ラインｃが箱開封開始用の破断用ラインである。
【００６８】
包装箱１は、この箱開封開始用の破断ラインｃに例えば手指をあてがい、第２前壁用片１５２の上に重ね接着されている第１前壁用片１５１を開く方向に引っ張ることで、第１前壁用片１５１を開くことができる。
【００６９】
このとき、第２前壁用片１５２の左右一対の破断用ラインＣ１、Ｃ２を破断しつつ、それら一対の破断用ラインで挟まれた第２前壁用片の中央部分１５２ａを、それが未だ接着している第１前壁用片１５１とともに開くことができる。また、それとともに、第１前壁用片１５１を第２前壁用片１５２の左右一対の破断用ラインＣ１、Ｃ２の両外側の部分１５２ｂから引き剥がしつつ開くことができる。このように、第１前壁用片１５１は、一対の破断用ラインＣ１、Ｃ２で挟まれた第２前壁用片の部分１５２ａとともに２重構造部分を維持しつつ、変形や形崩れ等が抑制される状態で開くことができる。図５（Ａ）はそのように開いた状態を示している。
【００７０】
また、そのあとさらに、第２前壁用片１５２の左右一対の破断用ラインＣ１、Ｃ２の両外側の部分１５２ｂも前フラップ１２１、１３１から剥がして開くことができる。図５（Ｂ）はそのように開いた状態を示している。
【００７１】
図６は箱１を開けた包装体１００を電子レンジ加熱したときの包装箱前壁側から見た袋２の膨張及び包装箱１の変形状態例を示している。
【００７２】
包装箱１をその前壁１５部分で開いた状態では、第１前壁用片１５１とともに開かれた第２前壁用片の部分１５２ａの折れ曲がり用ラインＳ３と、これに重なるように形成されている第１前壁用片１５１の折れ曲がり用ラインＳ２と、上壁１１に形成されている上壁折れ曲がり用ラインＳ１が一直線状に配列された格好となる。
【００７３】
箱１が図５（Ａ）又は図５（Ｂ）のように開封された状態で、しかし内部に食品密封収容袋２が収容された状態で、上壁１１を下向きにして電子レンジ内トレイに載置し、加熱開始することができる。そうすると、食品密封収容袋２内の食品Ｆが加熱され、それにより発生する蒸気圧で袋２が膨張してくる。
【００７４】
この袋２の膨張により、互いに対向している上壁１１（電子レンジ内では折れ曲がり用ラインを有する下向きに配置されている上壁１１）及び下壁１４（電子レンジ内では上向きに配置されている下壁１４）が上下方向に突っ張り力を受け、それにより該上壁１１及び下壁１４が次第に箱外側へ向け膨らむよう変形し始める。
【００７５】
このとき、図６に示すように、一直線状に続いている、上壁１１の折れ曲がり用ラインＳ１、第１前壁用片１５１の折れ曲がり用ラインＳ２、これに重なる第２前壁用片１５２の折れ曲がり用ラインＳ３で包装箱１の上壁１側が、そのような折れ曲がり用ラインが形成されていない下壁側が上向き凸状に変形するより大きく下向き凸状に変形し、袋２も電子レンジ内における上面側より箱抵抗のより少ない下面側でより大きく下向き凸状に膨張する。
【００７６】
なお、図５（Ａ）のように開封された状態で電子レンジ加熱すると、電子レンジ内で上向きに配置される箱下壁１４側の剛性を箱上壁１１側の剛性より大きく保って、電子レンジ内で下向きに配置される箱上壁１１をより確実に、大きく下方へ凸状に変形させることができる。
【００７７】
いずれにしても、このような食品密封収容袋２の膨張により、袋２内の流動物は圧抜き部２５より下方に溜まる格好となり、圧抜き部２５が袋内圧上昇で開封されても、該圧抜き部２５から漏出することは、実用上差し支えない程度に抑制され、或いは防止される。
【００７８】
このように包装箱１によると、食品密封収容袋２を収容したまま電子レンジ内に配置して該袋内食品を電子レンジ加熱することができ、その際、包装箱１の前壁１５部分を予め開封するが、従来のように開けた箱の一部を折り曲げて支持部として傾斜状態で電子レンジ内に配置する必要はなく、それでいて袋２の圧抜き部２５からの蒸気以外の袋内容物の流出を実用上差し支えない程度に抑制でき、或いは防止できる。
【００７９】
また、食品密封収容袋包装体１００によると、食品密封収容袋包装箱として前記箱１を採用しているので、箱の前壁１５部分を前記と同様に開けて、上壁１１を下向きにして電子レンジ内トレイに載置し、加熱開始すると、食品密封収容袋２内の食品Ｆが加熱され、それにより発生する蒸気圧で袋２が膨張してくることで包装箱１の上壁１１側が、下壁１４側より大きく下向き凸状に変形し、袋２も電子レンジ内における上面側より箱抵抗のより少ない下面側でより大きく下向き凸状に膨張する。
【００８０】
このような食品密封収容袋２の膨張により、袋２内の流動物は圧抜き部２５より下方に溜まる格好となり、圧抜き部２５が袋内圧上昇で開封されても、該圧抜き部から漏出することは、実用上差し支えない程度に抑制され、或いは防止される。
【００８１】
このように包装体１００によると、食品密封収容袋包装箱１に食品密封収容袋２を収容したまま電子レンジ内に配置して該袋内食品Ｆを電子レンジ加熱することができ、その際、包装箱１を予め前壁１５部分で開封するが、従来のように開けた箱の一部を折り曲げて支持部として傾斜状態で電子レンジ内に配置する必要はなく、それでいて袋２の圧抜き部２５からの蒸気以外の袋内容物の流出を実用上差し支えない程度に抑制でき、或いは防止できる。
【００８２】
図７は食品密封収容袋包装体の他の例１００’を示している。図８は包装体１００’を構成している食品密封収容袋包装箱１’の組み立て前の原板例１０’を示している。図９は包装体１００’において包装箱１’を開けた状態を示している。図１０は図９のように箱１’を開けた包装体１００’を電子レンジ加熱したときの包装箱前壁側から見た袋１の膨張及び包装箱１’の変形状態例を示している。
【００８３】
図７〜図９からわかるように、包装体１００’は包装箱の点で包装体１００と異なっているが、その他の点は包装体１００と同じである。また、包装箱１’は次の点で前記包装箱１と異なっているだけである。図１〜図６に示す包装体１００及び包装箱１と同じ部分、部品等には図１〜図６と同じ参照符号を付してある。
【００８４】
食品密封収容袋包装体１００’は食品密封収容袋包装箱１’に食品密封収容袋２を収容
したものである。食品密封収容袋包装箱１’は前記箱１の箱開封開始用破断用ラインｃに代えて、第２前壁用片１５２に隣り合う下壁１４の前端部に箱開封開始用破断用ラインＣ３を円弧状に形成したものである。破断用ラインＣ３で囲まれた下壁の部分１４ａには第２前壁用片１５２の部分１５２ａに形成された折れ曲がり用ラインＳ３に一直線状に続く折れ曲がり用ラインＳ４を筋付け形成してある。
【００８５】
包装箱１’ではその前壁１５部分を開いた状態では、図９に示すように第２前壁用片の部分１５２ａの折れ曲がり用ラインＳ３と、これに重なるように形成されている第１前壁用片１５１の折れ曲がり用ラインＳ２と、上壁１１に形成されている上壁折れ曲がり用ラインＳ１と、折れ曲がり用ラインＳ４が一直線に配列された格好となる。
【００８６】
なお、図９（Ａ）は下壁１４の破断用ラインＣ３及び第２前壁用片１５２の左右一対の破断用ラインＣ１、Ｃ２を破断しつつ、それら一対の破断用ラインＣ１、Ｃ２で挟まれた第２前壁用片の中央部分１５２ａを、それが未だ接着している第１前壁用片１５１とともに開き、また、それとともに、第１前壁用片１５１を第２前壁用片１５２の左右一対の破断用ラインＣ１、Ｃ２の両外側の部分１５２ｂから引き剥がしつつ開いた状態を示している。図９（Ｂ）はそのあとさらに、第２前壁用片１５２の左右一対の破断用ラインＣ１、Ｃ２の両外側の部分１５２ｂも前フラップ１２１、１３１から剥がして開いた状態を示している。
【００８７】
箱１が図９（Ａ）又は図９（Ｂ）のように開封された状態で、しかし内部に食品密封収容袋２が収容された状態で、上壁１１を下向きにして電子レンジ内トレイに載置し、加熱開始することができる。そうすると、食品密封収容袋２内の食品Ｆが加熱され、それにより発生する蒸気圧で袋２が膨張してくる。
【００８８】
そうすると、包装体１００の場合と同様に、一直線状に続いている、折れ曲がり用ラインＳ１、Ｓ２、Ｓ３及びＳ４のある上壁１１側が、下壁１４側より大きく下向き凸状に変形し、袋２も電子レンジ内における上面側より下面側の方が箱抵抗のより少ない下面側でより大きく下向き凸状に膨張する。
【００８９】
なお、図９（Ａ）のように開封された状態で電子レンジ加熱すると、電子レンジ内で上向きに配置される箱下壁１４側の剛性を箱上壁１１側の剛性より大きく保って、電子レンジ内で下向きに配置される箱上壁１１をより確実に、大きく下方へ凸状に変形させることができる。
【００９０】
いずれにしても、食品密封収容袋２の膨張により、袋２内の流動物は圧抜き部２５より下方に溜まる格好となり、圧抜き部２５が袋内圧上昇で開封されても、該圧抜き部２５から漏出することは、実用上差し支えない程度に抑制され、或いは防止される。
【産業上の利用可能性】
【００９１】
本発明は電子レンジ加熱可能な食品を密封収容した食品密封収容袋を包装する便利な食品密封収容袋包装箱及び前記食品密封収容袋を前記食品密封収容袋包装箱に収容した便利な食品密封収容袋包装体並びに該」包装箱を形成するための箱原板を提供することに利用できる。
【符号の説明】
【００９２】
１００、１００’  食品密封収容袋包装体
１、１’  食品密封収容袋包装箱
１０、１０’  箱原板
１１  上壁
１１１  上壁前端
１１２  上壁後端
１１３  上壁左端
１１４  上壁右端
１２  左側壁
１３  右側壁
１４  下壁
１５  前壁
１２１、１３１  前フラップ
１５１，１５２  前壁用片
Ｃ１、Ｃ２  破断用ライン
ｃ、Ｃ３    箱開封開始用破断用ライン
Ｓ１  上壁折れ曲がり用ライン
Ｓ２  第１前壁用片折れ曲がり用ライン
Ｓ３  第２前壁用片折れ曲がり用ライン
Ｓ４  折れ曲がり用ライン
１４ａ  下壁の破断用ラインＣ３で囲まれた部分
１５２ａ  前壁用片１５２の破断用ラインＣ１、Ｃ２間部分
１５２ｂ  前壁用片１５２の破断用ラインＣ１、Ｃ２の外側部分
１６  後壁
１２２、１３２  後ろフラップ
１６１，１６２  後壁用片
１７  糊代片
２  食品密封収容袋
ｆ  フィルム
２０  周辺部
２１  前辺部
２２  後辺部
２３  側辺部
２４  コーナ部位
２５  圧抜き部
Ｆ  食品
【図１】
2013018509.tif 000003
【図２】
2013018509.tif 000004
【図３】
2013018509.tif 000005
【図４】
2013018509.tif 000006
【図５】
2013018509.tif 000007
【図６】
2013018509.tif 000008
【図７】
2013018509.tif 000009
【図８】
2013018509.tif 000010
【図９】
2013018509.tif 000011
【図１０】
2013018509.tif 000012